(57)【要約】【課題】画像における色の分布及び色の鮮やかさを認識しやすくする。【解決手段】表示制御装置２１は、取得部２１５が画像データを取得する画像データ取得手段と、分類部２１７が画像データに含まれる複数の画素の輝度を複数の輝度範囲に分類する輝度分類手段と、表示制御部２１９が画像データの色度に関連付けて、それぞれの色度に対応する一以上の画素の輝度が複数の輝度範囲のいずれの範囲に属するかを示す輝度情報を表示手段に表示させる表示制御手段と、を有する。【選択図】図２
2018207282.tif 000002
【特許請求の範囲】
【請求項１】
画像データを取得する画像データ取得手段と、
前記画像データに含まれる複数の画素の輝度を複数の輝度範囲に分類する輝度分類手段と、
前記画像データの色度に関連付けて、それぞれの色度に対応する一以上の画素の輝度が前記複数の輝度範囲のいずれの範囲に属するかを示す輝度情報を表示手段に表示させる表示制御手段と、
を有することを特徴とする表示制御装置。
【請求項２】
前記表示制御手段は、前記画像データ取得手段が取得した前記画像データに基づく表示用画像に前記輝度情報を重畳して前記表示手段に表示させることを特徴とする、
請求項１に記載の表示制御装置。
【請求項３】
前記表示制御手段は、前記複数の画素の輝度が属する輝度範囲に基づく態様の前記輝度情報を前記画像データの色度を示す位置に関連付けて前記表示手段に表示させることを特徴とする、
請求項１又は２に記載の表示制御装置。
【請求項４】
前記表示制御手段は、前記表示手段における前記画像データの色度に対応する位置を、対応する色度を有する前記複数の画素の輝度に応じた輝度で表示させることを特徴とする、
請求項３に記載の表示制御装置。
【請求項５】
前記表示制御手段は、輝度が所定の閾値以上であることを条件として、前記画像データの色度を示す位置に前記輝度情報を表示させることを特徴とする、
請求項１から４のいずれか一項に記載の表示制御装置。
【請求項６】
色度ごとに、輝度が前記複数の輝度範囲のそれぞれに含まれる画素の数を集計する集計手段をさらに有し、
前記表示制御手段は、前記集計手段が集計した数に基づく態様で前記輝度情報を前記表示手段に表示させることを特徴とする、
請求項１から５のいずれか一項に記載の表示制御装置。
【請求項７】
前記表示制御手段は、前記複数の輝度範囲のそれぞれに対応する半透過色の複数の前記輝度情報を、前記画像データの色度を示す位置に重ねて表示させることを特徴とする、
請求項１から６のいずれか一項に記載の表示制御装置。
【請求項８】
前記表示制御手段は、前記複数の画素の輝度が属する輝度範囲に対応する点滅周期で点滅させて、前記画像データの色度を示す位置に前記輝度情報を表示させることを特徴とする、
請求項１から７のいずれか一項に記載の表示制御装置。
【請求項９】
前記表示制御手段は、前記複数の輝度範囲のそれぞれに対応する複数の画像領域において、前記画像データの色度に関連付けて前記輝度情報を表示手段に表示させることを特徴とする、
請求項１から８のいずれか一項に記載の表示制御装置。
【請求項１０】
前記表示制御手段は、前記表示手段の画像処理特性に基づいて、前記画像データの色度に関連付けて前記輝度情報を前記表示手段に表示させるか否かを判定することを特徴とする、
請求項１から９のいずれか一項に記載の表示制御装置。
【請求項１１】
前記表示制御手段は、前記画像データに関連付けられた属性情報に基づいて、前記画像データの色度に関連付けて前記輝度情報を前記表示手段に表示させるか否かを判定することを特徴とする、
請求項１から１０のいずれか一項に記載の表示制御装置。
【請求項１２】
画像を表示する表示手段と、
請求項１から１１のいずれか一項に記載の表示制御装置と、
を有することを特徴とする表示装置。
【請求項１３】
コンピュータが実行する、
画像データを取得するステップと、
前記画像データに含まれる複数の画素の輝度を複数の輝度範囲に分類するステップと、
前記画像データの色度に関連付けて、それぞれの色度に対応する一以上の画素の輝度が前記複数の輝度範囲のいずれの範囲に属するかを示す輝度情報を表示手段に表示させるステップと、
を有することを特徴とする表示制御方法。
【請求項１４】
輝度が所定の閾値以上であることを判定するステップと、
前記判定するステップにおいて輝度が所定の閾値以上であると判定した場合に、前記画像データの色度を示す位置に前記輝度情報を表示させるステップと、
をさらに有することを特徴とする、
請求項１３に記載の表示制御方法。
【請求項１５】
色度ごとに、輝度が前記複数の輝度範囲のそれぞれに含まれる画素の数を集計するステップと、
前記集計するステップにおいて集計した数に基づく態様で前記輝度情報を前記表示手段に表示させるステップと、
をさらに有することを特徴とする、
請求項１３又は１４に記載の表示制御方法。
【請求項１６】
前記表示手段の画像処理特性を特定するステップと、
特定した前記画像処理特性に基づいて、前記画像データの色度に関連付けて前記輝度情報を前記表示手段に表示させるか否かを判定するステップと、
をさらに有することを特徴とする、
請求項１３から１５のいずれか一項に記載の表示制御方法。
【請求項１７】
前記画像データに関連付けられた属性情報を特定するステップと、
特定した前記属性情報に基づいて、前記画像データの色度に関連付けて前記輝度情報を前記表示手段に表示させるか否かを判定するステップと、
をさらに有することを特徴とする、
請求項１３から１６のいずれか一項に記載の表示制御方法。
【発明の詳細な説明】
【技術分野】
【０００１】
本発明は、画像データの特性を表示するための表示制御装置、表示装置及び表示制御方法に関する。
【背景技術】
【０００２】
従来、画像データの輝度を視覚的に認識できる態様で表示させる装置が知られている。特許文献１には、表示する映像に、輝度レベルに応じた色を重ね合わせて表示させる技術が開示されている。
【先行技術文献】
【特許文献】
【０００３】
【特許文献１】特許第４１８１６２５号公報
【発明の概要】
【発明が解決しようとする課題】
【０００４】
映像制作者（以下、ユーザという）は、映像データにおける色の広がりを、色度の分布を表したベクトルスコープによって確認することが多い。図８は、色度の分布を表した従来のベクトルスコープＤ画像の一例を示す図である。円周Ｄ１は、映像データの色度分布の範囲を表す。色度は、円の中心に近づくほど彩度が低くなり、円の中心から遠ざかるほど彩度が高くなる。
【０００５】
軸Ｄ２は、ＩＴＵ−Ｒ（International Telecommunication Union Radiocommunications Sector）  ＢＴ．６０１で定義されるＢ−Ｙ復調信号の強度を表す。Ｂ−Ｙ復調信号は、青信号Ｂから輝度Ｙを差し引いた信号である。軸Ｄ３は、ＩＴＵ−Ｒ  ＢＴ．６０１で定義されるＲ−Ｙ復調信号の強度を表す。Ｒ−Ｙ復調信号は、赤信号Ｒから輝度Ｙを差し引いた信号である。色相は、Ｂ−Ｙ復調信号及びＲ−Ｙ復調信号それぞれの強度に応じて変化する。
【０００６】
ベクトルスコープＤに表示されている６つの格子Ｄ４は、それぞれ、マゼンダ色、赤色、黄色、緑色、青色、及びシアン色の基準色を表す。ベクトルスコープＤに表示されている複数の点Ｄ５は、１つの点ごとに映像データの画素の色度を表す。このように、映像データの画素ごとの色度をベクトルスコープＤに描画することにより、ユーザは、映像データにおける色の広がりを視覚的に把握することができる。
【０００７】
ところで、近年、ＨＤＲ（High Dynamic Range）と呼ばれる、より現実に近いダイナミックレンジで表現できる表示デバイスの開発が活発化している。映像を高画質化すると、輝度のダイナミックレンジが広がり、映像の高輝度部分が表現できるだけでなく、人が視認できる色の鮮やかさも増加する。したがって、近年の映像制作では、映像の輝度をより正確に把握することが重要となってきている。
【０００８】
ベクトルスコープＤは、映像データから輝度を除いた色度に基づいて描画されたグラフであるため、ベクトルスコープＤから輝度を確認することができない。このため、ユーザは、映像を目視して輝度を確認するか、又は特許文献１のような従来技術を用いて映像上に重畳された輝度レベルに応じた色に基づいて輝度を確認する必要があった。
【０００９】
しかし、映像を目視して輝度を確認する場合、ユーザの経験に左右されるため、色が鮮やかになっているかどうかを正確に把握することが難しいという問題があった。また、特許文献１に記載された従来技術を用いて輝度を確認する場合においても、輝度レベルに応じた色が映像の上に重畳されるため、各色度がどのような鮮やかさで表示されているかが把握しづらいという問題があった。
【００１０】
そこで、本発明はこれらの点に鑑みてなされたものであり、画像における色の分布及び色の鮮やかさを認識しやすくするための表示制御装置、表示装置及び表示制御方法を提供することを目的とする。
【課題を解決するための手段】
【００１１】
本発明の第１態様に係る表示制御装置は、画像データを取得する画像データ取得手段と、前記画像データに含まれる複数の画素の輝度を複数の輝度範囲に分類する輝度分類手段と、前記画像データの色度に関連付けて、それぞれの色度に対応する一以上の画素の輝度が前記複数の輝度範囲のいずれの範囲に属するかを示す輝度情報を表示手段に表示させる表示制御手段と、を有することを特徴とする。
【００１２】
本発明の第２態様に係る表示制御方法は、コンピュータが実行する、画像データを取得するステップと、前記画像データに含まれる複数の画素の輝度を複数の輝度範囲に分類するステップと、前記画像データの色度に関連付けて、それぞれの色度に対応する一以上の画素の輝度が前記複数の輝度範囲のいずれの範囲に属するかを示す輝度情報を表示手段に表示させるステップと、を有することを特徴とする。
【発明の効果】
【００１３】
本発明によれば、画像における色の分布及び色の鮮やかさを認識しやすくすることができるという効果を奏する。
【図面の簡単な説明】
【００１４】
【図１】第１実施形態の表示装置の概要を説明するための図である。
【図２】第１実施形態に係る表示制御装置の構成を示す図である。
【図３】第１実施形態に係る不揮発性メモリ部が記憶している輝度範囲データベースを示す図である。
【図４】第１実施形態に係るベクトルスコープ画像を含むＯＳＤ画像の一例を示す図である。
【図５】第１実施形態に係る表示制御装置が表示用画像を表示させる処理の流れを示すフローチャートである。
【図６】第２実施形態に係る表示制御装置が表示用画像を表示させる処理の流れを示すフローチャートである。
【図７】第３実施形態に係る複数の輝度範囲ごとに複数の画素を描画したベクトルスコープ画像の一例を示す図である。
【図８】色度の分布を表した従来のベクトルスコープ画像の一例を示す図である。
【発明を実施するための形態】
【００１５】
＜第１実施形態＞
［表示装置２の概要］
図１は、第１実施形態の表示装置２の概要を説明するための図である。撮影装置１は、少なくとも動画を撮影することができるカメラである。撮影装置１は、有線又は無線で接続された表示装置２に画像データを出力する。表示装置２は、撮影装置１から受信した画像データに基づく画像を表示するディスプレイである。
【００１６】
表示装置２は、表示制御装置２１及び表示用パネル２２を有する。表示制御装置２１は、撮影装置１から入力された画像データに含まれる複数の画素の色度に関連付けて、輝度を示す輝度情報を表示するユニットである。表示用パネル２２は、表示制御装置２１が生成した表示用画像を表示するパネルであり、例えば、液晶パネルである。
【００１７】
図１に示す撮影装置１が画像を撮影すると、表示制御装置２１は、撮影装置１から入力された画像データを取得する。表示制御装置２１は、取得した画像データに含まれる複数の画素を、当該画素に対応する輝度に基づいて複数の輝度範囲に分類する。表示制御装置２１は、画像データに含まれる複数の画素に対応する色度を、分類した輝度範囲に対応する表示態様で表示するベクトルスコープ画像を描画する。例えば、図１に示すように、表示制御装置２１は、ベクトルスコープ画像を含むＯＳＤ（On Screen Display）画像Ｂを生成し、撮影装置１から入力された画像データをデコードして得られる画像Ａに重畳して表示用パネル２２に表示させる。
【００１８】
このようにベクトルスコープ画像に画像データの輝度及び色度を表示することで、ユーザは、視覚的、かつ、客観的に色の分布及び色の鮮やかさを認識することができる。その結果、ユーザが、画像の輝度を把握しやすくなる。
以下、表示制御装置２１の詳細について説明する。
【００１９】
図２は、第１実施形態に係る表示制御装置２１の構成を示す図である。表示制御装置２１は、制御部２１１、操作部２１２、メモリ部２１３、不揮発性メモリ部２１４、取得部２１５、補正部２１６、分類部２１７、集計部２１８、及び表示制御部２１９を有する。
制御部２１１は、例えばＣＰＵ（Central Processing Unit）である。制御部２１１は、メモリ部２１３又は不揮発性メモリ部２１４に格納されたプログラムを実行することにより、表示制御装置２１の各部を制御する。
【００２０】
操作部２１２は、ユーザの操作を受け付ける入力デバイスである。操作部２１２は、例えば、表示装置２に取り付けられたボタン又は表示用パネル２２に重ねて設けられたタッチパネルである。
メモリ部２１３は、通電状態のみデータを保持することができる記憶媒体である。メモリ部２１３は、例えば、ＲＡＭ（Random Access Memory）である。
【００２１】
不揮発性メモリ部２１４は、非通電状態でもデータを保持することができる記憶媒体である。不揮発性メモリ部２１４は、例えば、ＲＯＭ（Read Only Memory）又はハードディスクである。不揮発性メモリ部２１４は、変換マトリクス及び輝度範囲データベースを記憶している。変換マトリクスは、画像データの色空間を、輝度及び色度で表現される色空間に変換するためのパラメータを含むデータである。輝度範囲データベースの構成については後述する。
【００２２】
取得部２１５は、撮影装置１から画像データを取得する。取得部２１５は、画像データ取得部２１５１を有する。
画像データ取得部２１５１は、まず、撮影装置１を接続した入力端子から入力された画像信号を取得する。次に、画像データ取得部２１５１は、取得した画像信号を、ヘッダデータ及び画像データに分離する。そして、画像データ取得部２１５１は、ヘッダデータを後述するヘッダ情報取得部２１７１に出力する。また、画像データ取得部２１５１は、画像データをデコードして、後述する画像補正部２１６１及び色空間変換部２１７２に出力する。
【００２３】
補正部２１６は、制御部２１１の指示に基づいて、画質を調整するため、画像データ取得部２１５１から出力された画像データを補正する。補正部２１６は、画像補正部２１６１を有する。
【００２４】
画像補正部２１６１は、まず、操作部２１２を介してユーザから取得した色、コントラスト、ブライトネス、及びガンマ等の画質を調整する指示に基づいて、画像データを補正する画像補正値を算出する。そして、画像補正部２１６１は、画像データに画像補正値を反映して、画像データの輝度及び色度を変更する。画像補正部２１６１は、例えば、画像を調整するパラメータであるＡＳＣ  ＣＤＬ（The American Society of Cinematographers Color Decision List）を生成する。画像補正部２１６１は、画像データに画像補正値を反映した画像補正データを、後述するフレームメモリ部２１９１に出力する。
【００２５】
分類部２１７は、画像データに含まれる複数の画素の輝度を複数の輝度範囲に分類する。分類部２１７は、ヘッダ情報取得部２１７１、色空間変換部２１７２、及び輝度分類部２１７３を有する。
ヘッダ情報取得部２１７１は、画像データ取得部２１５１から出力されたヘッダデータに含まれる画像の属性情報を取得して後述する色空間変換部２１７２に出力する。画像の属性情報は、例えば、画像データの解像度情報、フレームレート情報、色空間情報、及びＯＥＴＦ（Opto-Electronic Transfer Function）情報等である。なお、ＯＥＴＦ情報は、撮影装置１が撮影したシーンの輝度と映像信号との関係を示す情報である。
【００２６】
色空間変換部２１７２は、画像データ取得部２１５１から出力された画像データを、輝度及び色度で表現される色空間データに変換する。具体的には、色空間変換部２１７２は、まず、ヘッダ情報取得部２１７１から出力された色空間情報に基づいて、不揮発性メモリ部２１４に記憶されている変換マトリクスを選択する。そして、色空間変換部２１７２は、画像データ取得部２１５１から出力された画像データを、選択した変換マトリクスに基づいて所定の色空間データに変換する。所定の色空間は、例えば、ＩＴＵ−Ｒ  ＢＴ．７０９で定義されるＹＣｂＣｒの色空間である。色空間変換部２１７２は、変換後の色空間データを後述する輝度分類部２１７３に出力する。
【００２７】
輝度分類部２１７３は、色空間変換部２１７２から出力された色空間データに含まれる画素ごとに、輝度が所定の閾値を超えるか否かを判定する。図３は、第１実施形態に係る不揮発性メモリ部２１４が記憶している輝度範囲データベースを示す図である。図３に示す輝度範囲データベースは、分類する輝度に輝度範囲及び表示用パネル２２に表示する表示態様を関連付けて記憶している。ここで、輝度の最小値は０とし、輝度の最大値は１とし、閾値は０．４とする。例えば、画素の輝度が０．５の場合、輝度分類部２１７３は、輝度が閾値を超える画素として、当該画素を高輝度色度成分に分類する。また、例えば、画素の輝度が０．４の場合、輝度分類部２１７３は、輝度が閾値を超えない画素として、当該画素を低輝度色度成分に分類する。
【００２８】
図２に戻り、輝度分類部２１７３は、高輝度色度成分を、後述する高輝度集計部２１８１に出力する。また、輝度分類部２１７３は、低輝度色度成分を、後述する低輝度集計部２１８２に出力する。
【００２９】
集計部２１８は、色度ごとに、輝度が前記複数の輝度範囲のそれぞれに含まれる画素の数を集計する。集計部２１８は、高輝度集計部２１８１及び低輝度集計部２１８２を有する。
高輝度集計部２１８１は、輝度分類部２１７３から出力された高輝度色度成分の画素の数を、当該画素に対応する色度ごとに集計する。例えば、マゼンダ色の色度に対応する高輝度画素が３つ存在する場合、高輝度集計部２１８１は、マゼンダ色の色度に対応する高輝度画素の数を「３」と集計する。高輝度集計部２１８１は、高輝度画素の数を示す高輝度集計データを、後述する高輝度描画部２１９２に出力する。
【００３０】
低輝度集計部２１８２は、輝度分類部２１７３から出力された低輝度色度成分の画素の数を、当該画素に対応する色度ごとに集計する。低輝度集計部２１８２は、低輝度画素の数を示す低輝度集計データを、後述する低輝度描画部２１９３に出力する。
【００３１】
表示制御部２１９は、画像データの色度に関連付けて、それぞれの色度に対応する一以上の画素の輝度が複数の輝度範囲のいずれの範囲に属するかを示す輝度情報を表示用パネル２２に表示させる。具体的には、表示制御部２１９は、複数の画素の輝度が属する輝度範囲に基づく態様の輝度情報を画像データの色度を示す位置に関連付けて表示用パネル２２に表示させる。より具体的には、表示制御部２１９は、例えば、集計部２１８が集計した数に基づく色、形状又はテキストにより示される輝度情報を表示用パネル２２に表示させる。
【００３２】
図４は、第１実施形態に係るベクトルスコープ画像を含むＯＳＤ画像の一例を示す図である。図４において白丸で示すＢ１は、輝度が閾値を超える画素に対応する色度である。Ｂ１の態様は、例えば、図３に示す高輝度の表示態様である白色となっている。また、図４において黒丸で示すＢ２は、輝度が閾値を超えない画素に対応する色度である。Ｂ２の態様は、例えば、図３に示す低輝度の表示態様である赤色となっている。
【００３３】
表示制御部２１９は、例えば、高輝度集計データに含まれる画素を白色で、また低輝度集計データに含まれる画素を赤色で、ベクトルスコープ画像における当該画素に対応する色度の位置に関連付けて描画する。表示制御部２１９は、描画したベクトルスコープ画像を含むＯＳＤ画像を、画像データ取得部２１５１が取得した画像データをデコードして得られる画像に重畳して表示用パネル２２に表示させる。
【００３４】
図２に戻り、表示制御部２１９は、フレームメモリ部２１９１、高輝度描画部２１９２、低輝度描画部２１９３、グラフィック生成部２１９４、画像重畳部２１９５、及び画像出力部２１９６を有する。
フレームメモリ部２１９１は、画像フレーム単位で、表示用の画像データを記憶する。フレームメモリ部２１９１は、後述する画像出力部２１９６が次に表示する画像フレームに対して少なくとも１つ前の画像フレームの画像データを記憶している。フレームメモリ部２１９１は、画像出力部２１９６の表示周期に同期して、画像データを画像重畳部２１９５に出力する。
【００３５】
高輝度描画部２１９２は、高輝度集計部２１８１から出力された高輝度集計データを、ベクトルスコープ画像が表示される位置に描画する。具体的には、高輝度描画部２１９２は、高輝度集計データを色度ごとに、ベクトルスコープ画像の座標に対応させて高輝度色度分布画像を描画する。高輝度描画部２１９２は、描画した高輝度色度分布画像を後述する画像重畳部２１９５に出力する。
低輝度描画部２１９３は、低輝度集計部２１８２から出力された低輝度集計データを、ベクトルスコープ画像が表示される位置に描画する。具体的には、低輝度描画部２１９３は、低輝度集計データを色度ごとに、ベクトルスコープ画像の座標に対応させて低輝度色度分布画像を描画する。低輝度描画部２１９３は、描画した低輝度色度分布画像を後述する画像重畳部２１９５に出力する。
【００３６】
グラフィック生成部２１９４は、フレームメモリ部２１９１から出力された画像修正データ、高輝度集計データ及び低輝度集計データに重畳して表示用パネル２２に表示させる表示情報画像を生成する。具体的には、グラフィック生成部２１９４は、補助線、目盛、及び格子等のベクトルスコープ画像を生成する。グラフィック生成部２１９４は、生成したベクトルスコープ画像を後述する画像重畳部２１９５に出力する。
【００３７】
画像重畳部２１９５は、高輝度描画部２１９２から出力された高輝度色度分布画像、低輝度描画部２１９３から出力された低輝度色度分布画像、及びグラフィック生成部２１９４から出力されたベクトルスコープ画像を重畳してＯＳＤ画像を生成する。また、画像重畳部２１９５は、ＯＳＤ画像及び画像補正データを重畳して表示用画像を生成する。画像重畳部２１９５は、生成した表示用画像を後述する画像出力部２１９６に出力する。
画像出力部２１９６は、画像重畳部２１９５から出力された表示用画像を、表示用パネル２２に表示させる。
【００３８】
表示制御部２１９は、ベクトルスコープ画像における画像データの色度に対応する位置の画素を、対応する色度を有する複数の画素の輝度に応じた輝度で表示させてもよい。表示制御部２１９は、例えば、輝度の数値が高いほど画素を濃く表示し、輝度の数値が低いほど画素を薄く表示する。この場合において、画素の輝度の数値が１の場合、表示制御部２１９は、ベクトルスコープ画像における画像データの色度に対応する位置の画素を、対応する色度を有する画素の輝度が高輝度であることを示す白色で表示させる。また、画素の輝度の数値が０．５の場合、表示制御部２１９は、ベクトルスコープ画像における画像データの色度に対応する位置の画素を、対応する色度を有する画素の輝度が高輝度であることを示す灰色で表示させる。このように輝度の数値に応じて色に濃淡を付けることにより、ユーザは、輝度のレベルを視覚的に認識しやすくなる。
【００３９】
また、表示制御部２１９は、複数の輝度範囲のそれぞれに対応する半透過色の複数の輝度情報を、画像データの色度を示す位置に重ねて表示させてもよい。表示制御部２１９は、例えば、白色で表される高輝度の画素と赤色で表される低輝度の画素とが含まれる色度を示す位置に、ピンク色の画像を表示させる。このようにすることで、高輝度の色度と低輝度の色度とが同一の場合であっても、ユーザは、高輝度の画素と低輝度の画素との割合を認識することができる。
【００４０】
また、表示制御部２１９は、複数の画素の輝度が属する輝度範囲に対応する点滅周期で点滅させて、画像データの色度を示す位置に輝度情報を表示させてもよい。表示制御部２１９は、例えば、高輝度の色度を示す位置に表示する輝度情報を点滅させる。このようにすることで、ユーザは、色度に対応する輝度が高輝度か低輝度かを視覚的に認識しやすくなる。
【００４１】
［表示用画像を表示する処理］
以下、表示制御装置２１の処理の流れについて説明する。図５は、第１実施形態に係る表示制御装置２１が表示用画像を表示させる処理の流れを示すフローチャートである。本フローチャートは、撮影装置１から画像データが入力されることを契機として開始する。
【００４２】
画像データ取得部２１５１は、撮影装置１から入力された画像信号から、ヘッダデータ及び画像データを取得する（Ｓ１０）。続いて、ヘッダ情報取得部２１７１は、ヘッダデータに含まれる画像データの解像度情報、フレームレート情報、色空間情報、及びＯＥＴＦ情報などの属性情報を取得する（Ｓ２０）。
【００４３】
続いて、色空間変換部２１７２は、画像データ取得部２１５１から出力された画像データを所定の色空間データに変換する（Ｓ３０）。具体的には、色空間変換部２１７２は、ヘッダ情報取得部２１７１から出力された色空間情報に基づいて、不揮発性メモリ部２１４に記憶されている変換マトリクスを選択する。そして、色空間変換部２１７２は、選択した変換マトリクスに基づいて、画像データ取得部２１５１から出力された画像データを輝度及び色度により表される色空間データに変換する。
【００４４】
続いて、高輝度集計部２１８１及び低輝度集計部２１８２は、それぞれの色度数を初期化する（Ｓ４０）。続いて、輝度分類部２１７３は、色空間データの左上の画素を抽出する（Ｓ５０）。続いて、輝度分類部２１７３は、画素の輝度が閾値を上回るか否かを判定する（Ｓ６０）。具体的には、輝度分類部２１７３は、画素の輝度が閾値を上回ると判定した場合、当該画素を高輝度色度成分に分類する。一方、輝度分類部２１７３は、画素の輝度が閾値を下回ると判定した場合、当該画素を低輝度色度成分に分類する。
【００４５】
低輝度集計部２１８２は、輝度分類部２１７３が画素を低輝度色度成分に分類した場合、当該画素を低輝度色度成分として集計する（Ｓ７０）。具体的には、低輝度集計部２１８２は、低輝度色度成分の画素に対応する色度の数に１を加算する。同様に、高輝度集計部２１８１は、輝度分類部２１７３が画素を高輝度色度成分に分類した場合、当該画素を高輝度色度成分の画素の数として集計する（Ｓ８０）。
【００４６】
続いて、輝度分類部２１７３は、水平方向の画素を全て分類したかを判定する（Ｓ９０）。水平方向の画素を全て分類していない場合、輝度分類部２１７３は、色空間データの１つ右の画素を抽出し（Ｓ１００）、処理をＳ６０に戻す。水平方向の画素を全て分類した場合、輝度分類部２１７３は、垂直方向ラインを全て分類したかを判定する（Ｓ１１０）。垂直方向ラインを全て分類していない場合、輝度分類部２１７３は、１つ下のラインの最も左の画素を抽出し（Ｓ１２０）、処理をＳ６０に戻す。例えば、画像データが横４，０００×縦２，０００の解像度を有する４Ｋ画像である場合、輝度分類部２１７３は、水平方向４，０００回に、垂直方向ライン２，０００回を乗算した８，０００，０００回繰り返して画素を分類する。
【００４７】
垂直方向ラインを全て分類すると、低輝度描画部２１９３は、ベクトルスコープ画像の色度座標に従って、低輝度集計データが示す低輝度画素の数に基づいて低輝度色度分布画像を描画する（Ｓ１３０）。同様に、高輝度描画部２１９２は、ベクトルスコープ画像の色度座標に従って、高輝度集計データが示す高輝度画素の数に基づいて高輝度色度分布画像を描画する（Ｓ１４０）。ここで、高輝度描画部２１９２及び低輝度描画部２１９３は、色度ごとに、集計数に応じた態様で描画する。低輝度描画部２１９３は、例えば、集計数が多い色度ほど赤色を濃く描画し、集計数が少ない色度ほど赤色を薄く描画する。
【００４８】
続いて、グラフィック生成部２１９４は、ベクトルスコープ画像を含む表示情報画像を生成する（Ｓ１５０）。続いて、画像重畳部２１９５は、表示用パネル２２に表示させる表示用画像を生成する（Ｓ１６０）。具体的には、画像重畳部２１９５は、高輝度色度分布画像、低輝度色度分布画像、及びベクトルスコープ画像を重畳してＯＳＤ画像を生成する。また、画像重畳部２１９５は、ＯＳＤ画像及び画像補正データを重畳して表示用画像を生成する。続いて、画像出力部２１９６は、表示用画像を出力して表示用パネル２２に表示させる（Ｓ１７０）。
【００４９】
［第１実施形態における効果］
以上説明したとおり、第１実施形態に係る表示制御装置２１は、画像データに含まれる画素ごとに複数の輝度範囲に分類する。そして、表示制御装置２１は、画像データに含まれる画素の色度に関連付けて、それぞれの色度に対応する輝度を示す輝度情報を描画したベクトルスコープ画像を、画像データに重畳させて表示用パネル２２に表示させる。このようにすることで、表示制御装置２１は、画像データにおける色の広がりを表現しつつ、各色度の輝度を示すことができるので、画像データにおける各色度の鮮やかさを表現することができる。その結果、ユーザは、色の分布及び色の鮮やかさを認識しやすくなる。
【００５０】
＜第２実施形態＞
［輝度情報を表示するか否かを制御する］
続いて、第２実施形態について説明する。第２実施形態に係る表示制御装置２１は、表示装置２の画像処理特性又は画像データの属性情報に基づいて、ベクトルスコープ図に輝度情報を表示するか否かを制御できる点で、第１実施形態に係る表示制御装置２１と異なる。
【００５１】
第２実施形態に係る表示制御装置２１は、例えば、低輝度のＳＤＲ（Standard Dynamic Range）画像を表示している際には、各色度の輝度を示す輝度情報が不要であり、高輝度画素を含むＨＤＲ画像を表示している際に、各色度に対応する輝度情報を視認したいユーザに好適である。ユーザは、画像データがＨＤＲ画像である場合、輝度情報を表示する高輝度モードを選択し、画像データがＳＤＲ画像である場合、輝度情報を表示しない低輝度モードを選択することができる。以下、第１実施形態と異なる部分について説明を行う。第１実施形態と同じ部分については適宜説明を省略する。
【００５２】
図６は、第２実施形態に係る表示制御装置２１が表示用画像を表示させる処理の流れを示すフローチャートである。図６に示すＳ３１０からＳ３４０は、図５に示すＳ１０からＳ４０に対応し、図６に示すＳ４００からＳ４３０は、図５に示すＳ５０、Ｓ７０、Ｓ９０からＳ１２０に対応する。図６に示すＳ４５０からＳ４７０は、図５に示すＳ１５０からＳ１７０に対応する。
【００５３】
ステップＳ３５０において、制御部２１１は、表示装置２の画処理設定がＨＤＲに対応するガンマ特性であるか否かを判定する。制御部２１１は、例えば、表示装置２の画処理設定がＨＤＲに対応するガンマ特性であることを示すＨＬＧ（Hybrid Log Gamma）である場合、図５に示すＳ３０に処理を進めて、各色度に対応する輝度情報を表示する処理を実行する。一方、制御部２１１は、表示装置２の画処理設定がＨＤＲに対応するガンマ特性ではない場合、画処理設定が「自動」モードであるか否かを判定する（Ｓ３６０）。
【００５４】
制御部２１１は、画処理設定が「自動」モードである場合、画像データに関連付けられた属性情報に基づいて、各色度に対応する輝度情報を表示するか否かを判定する。具体的には、制御部２１１は、ヘッダ情報取得部２１７１から出力された画像データの属性情報に基づいて、画像データがＨＤＲであるか否かを判定する（Ｓ３７０）。制御部２１１は、画像データがＨＤＲである場合、図５に示すＳ３０に処理を進めて、各色度に対応する輝度情報を表示する処理を実行する。一方、制御部２１１は、画処理設定が「自動」モードではない場合、又は画像データがＨＤＲではない場合、処理をＳ３８０からＳ４３０に進めて、色度成分を集計する。そして、制御部２１１は、集計した結果に基づいて、所定の色（例えば赤色）で色度分布を描画する（Ｓ４４０）。
【００５５】
［第２実施形態における効果］
以上説明したとおり、第２実施形態に係る表示制御装置２１は、表示装置２の画処理設定又は画像データの属性情報に基づいて、各色度に対応する輝度情報を表示するか否かを切り替える。このようにすることで、ユーザが操作をすることなく、輝度情報を表示させることが望ましいＨＤＲ画像を表示する際に、輝度情報を表示させることができる。
【００５６】
＜変形例＞
なお、本実施形態における表示制御装置２１は、表示装置２の画像処理特性又は画像データの属性情報の他に、輝度が所定の閾値以上であることを条件として、画像データの色度を示す位置に輝度情報を表示させることもできる。表示制御部２１９は、例えば、画像データに含まれる複数の画素の１つでも輝度が所定の閾値を超える場合は、画像データの色度を示す位置に輝度情報を表示させる。一方、表示制御部２１９は、画像データに含まれる全ての画素の輝度が所定の閾値を超えない場合は、画像データの色度を示す位置に輝度情報を表示しない。このように、画像データ取得部２１５１が取得した画像データが高輝度の画素を含む場合のみベクトルスコープ画像に輝度情報を表示させることにより、ユーザは、画像が高輝度の画素が含まれているか否かを容易に認識することができる。
【００５７】
＜第３実施形態＞
［複数の輝度範囲をそれぞれ異なるベクトルスコープ画像に描画する］
続いて、第３実施形態について説明する。第１実施形態に係る表示制御装置２１は、複数の輝度範囲に対応する輝度情報を１つのベクトルスコープ画像に重畳して描画させた。これに対して、第３実施形態に係る表示制御装置２１は、複数の輝度範囲に対応する輝度情報をそれぞれ異なるベクトルスコープ画像に描画させる点で異なる。
【００５８】
画像重畳部２１９５は、複数の輝度範囲のそれぞれに対応する複数の画像領域において、画像データの色度に関連付けて輝度情報を表示用パネル２２に表示させる。具体的には、まず、画像重畳部２１９５は、高輝度描画部２１９２から出力された高輝度色度分布画像及びグラフィック生成部２１９４から出力されたベクトルスコープ画像を重畳して高輝度ベクトルスコープ画像を生成する。また、画像重畳部２１９５は、低輝度描画部２１９３から出力された低輝度色度分布画像及びグラフィック生成部２１９４から出力されたベクトルスコープ画像を重畳して低輝度ベクトルスコープ画像を生成する。そして、画像重畳部２１９５は、高輝度ベクトルスコープ画像及び低輝度ベクトルスコープ画像をそれぞれ異なる画像領域に配置したＯＳＤ画像を生成する。
【００５９】
図７は、第３実施形態に係る複数の輝度範囲ごとに複数の画素を描画したベクトルスコープ画像の一例を示す図である。図７（ａ）に示すベクトルスコープ画像Ｃ１は、高輝度色度分布を描画した高輝度ベクトルスコープ画像である。また、図７（ｂ）に示すベクトルスコープ画像Ｃ２は、低輝度色度分布を描画した低輝度ベクトルスコープ画像である。図７に示すように、画像重畳部２１９５は、高輝度色度分布及び低輝度色度分布のそれぞれに対応させたベクトルスコープ画像を生成する。
【００６０】
［第３実施形態における効果］
以上説明したとおり、第３実施形態に係る表示制御装置２１は、複数の輝度範囲のそれぞれに対応する複数のベクトルスコープ画像において、画像データの色度に関連付けて輝度情報を表示用パネル２２に表示させる。このようにすることで、ユーザは、高輝度の画素の色度分布と低輝度の画素の色度分布とをそれぞれ区別して確認することが可能になる。
【００６１】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００６２】
例えば、上記の説明においては、表示制御装置２１が、各色度に対応する位置に各色度の輝度を示す輝度情報を重畳して表示する例を示したが、輝度情報を表示させる位置はこれに限らない。表示制御装置２１は、色度に対応する位置の近傍に輝度を示すテキストを表示してもよい。
【符号の説明】
【００６３】
１  撮影装置
２  表示装置
２１  表示制御装置
２１７  分類部
２１８  集計部
２１９  表示制御部
２１５１  画像データ取得部
【図１】
2018207282.tif 000003
【図２】
2018207282.tif 000004
【図３】
2018207282.tif 000005
【図４】
2018207282.tif 000006
【図５】
2018207282.tif 000007
【図６】
2018207282.tif 000008
【図７】
2018207282.tif 000009
【図８】
2018207282.tif 000010